(57)【要約】【課題】追記型光記録媒体の記録方法において、色素系追記型ＤＶＤ媒体に対して１２ｍ／ｓ以上の記録を行う際に、良好な記録波形を得ることができる光記録再生方法の提供を目的とする。【解決手段】案内溝を有する基板上に形成された色素を有する記録層に、最短長マークを１パルス光で記録し、最短長マークより長いマークを最短長マークのパルスパワー以下で、かつパルス先端部と後端部の２カ所を一定時間１パルスの光で記録し、前記各マーク記録時の記録線速度が１２ｍ／ｓ以上のときに、前記パルス後端部にクーリングパルスの光照射量をＰｃとし、マーク形成に対応するパルス光以外の照射光のパワーをＷ４としたときの比Ｐｃ／Ｗ４を、１.０以上３.０以下の範囲とすることを特徴とする。【選択図】図１
2007109368.tif 000002
【特許請求の範囲】
【請求項１】
案内溝を有する基板上に形成された色素を有する記録層に、最短長マークを１パルス光で記録し、
最短長マークより長いマークを最短長マークのパルスパワー以下で、かつパルス先端部と後端部の２カ所を一定時間１パルスの光で記録し、
前記各マーク記録時の記録線速度が１２ｍ／ｓ以上のときに、前記パルス後端部にクーリングパルスの光照射量をＰｃとし、
マーク形成に対応するパルス光以外の照射光のパワーをＷ４としたときの比Ｐｃ／Ｗ４を、１.０以上３.０以下の範囲とする、又は、比Ｐｃ／Ｗ４が０．１４以下の範囲の場合に前記パルス印加後のクーリングパルスの照射時間Ｔｃを基本クロック周期Ｔの１倍以下の長さとすることを特徴とする色素系追記型光記録媒体の記録方法。
【請求項２】
パルス印加後のクーリングパルスの光照射量Ｐｃを０.１ｍＷ以下とし、この照射時間Ｔｃを基本クロック周期Ｔの１倍以下の長さとする請求項１に記載の色素系追記型光記録媒体の記録方法。
【請求項３】
パルス光記録において、案内溝がウォブル溝により形成され、基本クロック周期をＴとした該ウォブルの周波数が４Ｔ〜９６Ｔの範囲である請求項１から２のいずれかに記載の色素系追記型光記録媒体の記録方法。
【請求項４】
パルス光の波長が６００〜７２０ｎｍである請求項１から３のいずれかに記載の色素系追記型光記録媒体の記録方法。
【請求項５】
パルス光記録における、信号に対する記録線速度が３．８３±０．０３ｍ／ｓである請求項１から４のいずれかに記載の色素系追記型光記録媒体の記録方法。
【請求項６】
基板上に、記録層を有し、さらに反射層、保護層、接着層、保護基板、及び基板面ハードコート層から選ばれる少なくとも一つの層を有することを特徴とする色素系追記型光記録媒体。
【請求項７】
ウォブルを設けた案内溝を有する基板上に少なくとも記録層と、反射層と、保護層を有し、更に接着層を介して保護基板を有する単層型構造であるか、或いは、ウォブルを設けた案内溝を有する基板上に少なくとも記録層及び反射層を有する構成単位を２組と、前記接着層を介して基板が外側になるように貼り合わされた２層型の構造であることを特徴とする色素系追記型光記録媒体。
【請求項８】
反射層が、金、銀、及びアルミニウムから選択される少なくとも１種の金属または合金からなる請求項６から７のいずれかに記載の色素系追記型光記録媒体。
【請求項９】
２層型の構造の色素系追記型記録媒体は、レーザ光の最初の入射記録層としての第１記録層と、最短長マークを１パルス光で記録する記録層としての第２記録層とを備え、最短長マークより長いマークを最短長マークのパルスのパワー以下で、かつパルス先端部と後端部の２カ所を１パルス光で記録し、前記各マーク記録時において、前記パルス後端部に設けたクーリングパルスの光照射量をＰｃとし、マーク形成に対応するパルス光以外の照射光のパワーをＷ４としたときの比Ｐｃ／Ｗ４が、記録線速度を１２ｍ／ｓ以上のときに１.０以上３.０以下とする、又は、比Ｐｃ／Ｗ４が０．１４以下の範囲の場合に前記パルス印加後のクーリングパルスの照射時間Ｔｃを基本クロック周期Ｔの１倍以下の長さとする請求項７に記載の色素系追記型光記録媒体。
【請求項１０】
最短長マークのパルスパワー情報と、パルス後端部にクーリングパルスを設けたときの照射パワー情報と、マーク形成に対応するパルス光以外の照射光のパワー情報とが予め案内溝に記録されている請求項９に記載の色素系追記型光記録媒体。
【請求項１１】
案内溝を有する基板上に有機色素を含む記録層を形成する形成手段と、前記記録層に最短長マークを１パルス光で記録する第１の記録手段と、２番目以降の長さのマークを前記最短長マークのパルスパワー以下で、かつパルス先端部と後端部の２カ所に一定時間高出力化された１パルス光で記録する第２の記録手段とを備え、前記各マーク記録時において、パルス後端部以降に設けたクーリングパルスの照射光量をＰｃとし、マーク形成に対応するパルス光以外の照射光のパワーをＷ４としたときの比Ｐｃ／Ｗ４が記録線速度を１２ｍ／ｓ以上のときに１．０以上３.０以下の範囲とする、又は、比Ｐｃ／Ｗ４が０．１４以下の範囲の場合に前記パルス印加後のクーリングパルスの照射時間Ｔｃを基本クロック周期Ｔの１倍以下の長さとすることを特徴とする色素系追記型光記録媒体の記録装置。
【発明の詳細な説明】
【技術分野】
【０００１】
本発明は、光記録媒体の記録方法、記録媒体、及び記録装置に関し、特に色素系追記型ＤＶＤの光記録再生方法、これに適した色素系追記型光記録媒体、及び記録装置に関する。
【背景技術】
【０００２】
現在、大容量光ディスクとしてＤＶＤ±Ｒの高速化開発が進められている。記録容量の向上のためには、要素技術として、記録ピット微小化のための記録材料開発、ＭＰＥＧ２に代表される画像圧縮技術の採用、記録ピット読み取りのための半導体レーザの短波長化等が必要である。
【０００３】
これまで赤色波長域の半導体レーザとしては、バーコードリーダや計測器用に６７０ｎｍ帯のＡｌＧａＩｎＰレーザダイオードが商品化されているのみであったが、光ディスクの高密度化に伴い、赤色レーザが本格的に光ストレージ市場で使用されている。ＤＶＤドライブの場合、光源として６３５ｎｍ帯と６５０ｎｍ帯のレーザダイオードで２つの波長で規格化されている。一方、再生専用のＤＶＤ−ＲＯＭドライブは波長〜６５０ｎｍで商品化されている。
【０００４】
一般的にヒートモードによってピット（マーク）が形成される色素系追記型ＤＶＤ媒体は、特定の記録速度において記録時のレーザ発光による記録パルスのパルス幅と記録パワーが最適化され、異なった記録線速度では形成されるマークやスペースの状態が変化する。即ち、マークの形成に必要な加熱パルスによる熱容量の不足が生じたり、最適な分解温度に対して到達する加熱温度が異なってマークの平均長がばらついたり、最適な加熱パルスのデューティ比が異なって均一なマーク幅が得られなくなり、マーク長に応じて太りや細りが生じたりするため、ジッタ特性が悪化してしまう。
【０００５】
このような背景から、例えばＤＶＤ＋Ｒについては、記録パルスの発光波形が記述されている（例えば、非特許文献１〜２参照）。前者は１６倍速対応単層型であり、後者は２．４倍速対応２層型のＤＶＤ＋Ｒ媒体に関する規格書である。
【０００６】
しかし、特に２層型の媒体に２．４倍速以上の記録速度で記録する場合に、上記の規格書に記述された記録パルス発光波形では記録媒体によっては充分な品質が得られない場合があった。
【０００７】
また、ＤＶＤ系媒体の物理フォーマットに関しては、ＤＶＤ−Ｒ媒体のフォーマットの場合、ランドプリピットと呼ばれるランド部の一部をカットしたフォーマットで規格化されている。この方式をとると、ランドプリピット信号（ＬＰＰｂ）が０．１６未満ではプリピットアドレス等のプリピット情報が良好に再生できず、０．３２を越えるとＬＰＰ信号自体がデータ領域においてノイズ的な振る舞いをし、データエラーが多く発生してしまう。従って、ＬＰＰは、記録材料に合ったカット幅をスタンパで微調整して、ＬＰＰｂが０．１６〜０．３２の範囲になるようにランドカット幅を制御しなければならない。
【０００８】
なお、色素を記録層に用いた光記録媒体の例としては、ポリメチン色素或いはポリメチン色素と光安定化材を記録材料として用いたもの、テトラアザポルフィリン（ポルフィラジン）色素又はシアニン色素＋アゾ金属キレート色素（塩形成色素）からなる層と反射層を記録層としたもの、ホルマザン（金属キレート）色素＋その他の色素を記録材料として用いるもの、ジピロメテン（金属キレート）色素＋その他の色素を記録材料として用いるものなど、枚挙に暇がない。また、記録材料に色素を用いマルチパルス記録を行うものも多数知られているが、本発明者等の知る限り、本発明のように色素系追記型ＤＶＤ媒体に対し１パルスで記録を行い、かつ高線速記録を行う際の記録波形に着目した文献は見当たらない。
【０００９】
ただし矩形波又は１マークに対し１本のパルス光を用いる記録方法としては知られているものがある（例えば、特許文献１〜７参照）。
【００１０】
【特許文献１】特開２００１−２４３６２６号公報
【特許文献２】特開２００２−０６３７２１号公報
【特許文献３】特開２００１−２７３６３６号公報
【特許文献４】特開２００２−２９８４１５号公報
【特許文献５】特開２００１−１７６０７３号公報
【特許文献６】特開２００１−１５５３３９号公報
【特許文献７】米国特許第４６４６１０３号明細書
【非特許文献１】ＤＶＤ＋Ｒ  ４．７Ｂｙｔｅｓ  Ｂａｓｉｃ  Ｆｏｒｍａｔ  Ｓｐｅｃｉｆｉｃａｔｉｏｎｓ  Ｖｅｒ１．３
【非特許文献２】ＤＶＤ＋Ｒ  ８．５Ｂｙｔｅｓ  Ｂａｓｉｃ  Ｆｏｒｍａｔ  Ｓｐｅｃｉｆｉｃａｔｉｏｎｓ  Ｖｅｒ１．０
【発明の開示】
【発明が解決しようとする課題】
【００１１】
本発明は、従来における諸問題を解決し、以下の目的を達成することを課題とする。即ち、本発明は、色素系追記型ＤＶＤ媒体に対して１２ｍ／ｓ以上の記録を行う際に、良好な記録波形を得ることができる光記録再生方法の提供を目的とする。
【００１２】
また、本発明は、ＣＤ系媒体に比べて短波長に発振波長を有する半導体レーザを用いる追記型ＤＶＤシステムの新フォーマット方式であって、ＬＰＰ方式と同様、データの書き足し部における未記録領域を無くす有効な方式、更には、ＤＶＤ−Ｒランドプリピット方式に比較して、スタンパ作製時に於ける微細なカット幅制御やＬＰＰ信号のデータ部への漏れ出しによるデータエラーの生じない、優れた方式を提供することを目的とする。
【課題を解決するための手段】
【００１３】
前記課題を解決するための手段としては、以下の通りである。即ち、
＜１＞  案内溝を有する基板上に形成された色素を有する記録層に、最短長マークを１パルス光で記録し、最短長マークより長いマークを最短長マークのパルスパワー以下で、かつパルス先端部と後端部の２カ所を一定時間１パルスの光で記録し、前記各マーク記録時の記録線速度が１２ｍ／ｓ以上のときに、前記パルス後端部にクーリングパルスの光照射量をＰｃとし、マーク形成に対応するパルス光以外の照射光のパワーをＷ４としたときの比Ｐｃ／Ｗ４を、１.０以上３.０以下の範囲とする、又は、比Ｐｃ／Ｗ４が０．１４以下の範囲の場合に前記パルス印加後のクーリングパルスの照射時間Ｔｃを基本クロック周期Ｔの１倍以下の長さとすることを特徴とする色素系追記型光記録媒体の記録方法である。
＜２＞  前記パルス印加後のクーリングパルスの光照射量Ｐｃを０.１ｍＷ以下とし、この照射時間Ｔｃを基本クロック周期Ｔの1倍以下の長さとする前記＜１＞に記載の色素系追記型光記録媒体の記録方法である。
＜３＞  前記パルス光記録において、前記案内溝がウォブル溝により形成され、基本クロック周期をＴとした該ウォブルの周波数が４Ｔ〜９６Ｔの範囲である前記＜１＞から＜２＞のいずれかに記載の色素系追記型光記録媒体の記録方法である。
＜４＞  前記パルス光の波長が６００〜７２０ｎｍである前記＜１＞から＜３＞のいずれかに記載の色素系追記型光記録媒体の記録方法である。
＜５＞  前記パルス光記録における、信号に対する記録線速度が３．８３±０．０３ｍ／ｓである前記＜１＞から＜４＞のいずれかに記載の色素系追記型光記録媒体の記録方法である。
＜６＞  基板上に、記録層を有し、さらに反射層、保護層、接着層、保護基板、基板面ハードコート層から選ばれる少なくとも一つの層を有することを特徴とする色素系追記型光記録媒体である。
＜７＞  ウォブルを設けた案内溝を有する基板上に少なくとも記録層と、反射層と、保護層を有し、更に接着層を介して保護基板を有する単層型構造であるか、或いは、ウォブルを設けた案内溝を有する基板上に少なくとも記録層、反射層を有する構成単位を２組と、前記接着層を介して基板が外側になるように貼り合わされた２層型の構造であることを特徴とする色素系追記型光記録媒体である。
＜８＞  前記反射層が、金、銀、アルミニウムから選択される少なくとも１種の金属または合金からなる前記＜６＞から＜７＞のいずれかに記載の色素系追記型光記録媒体である。
＜９＞  前記２層型の構造の色素系追記型記録媒体は、レーザ光の最初の入射記録層としての第１記録層と、最短長マークを１パルス光で記録する記録層としての第２記録層とを備え、最短長マークより長いマークを最短長マークのパルスのパワー以下で、かつパルス先端部と後端部の２カ所を１パルス光で記録し、前記各マーク記録時において、前記パルス後端部に設けたクーリングパルスの光照射量をＰｃとし、マーク形成に対応するパルス光以外の照射光のパワーをＷ４としたときの比Ｐｃ／Ｗ４が、記録線速度を１２ｍ／ｓ以上のときに１.０以上３.０以下とする、又は、比Ｐｃ／Ｗ４が０．１４以下の範囲の場合に前記パルス印加後のクーリングパルスの照射時間Ｔｃを基本クロック周期Ｔの１倍以下の長さとする前記＜７＞に記載の色素系追記型光記録媒体である。
＜１０＞  最短長マークのパルスパワー情報と、パルス後端部にクーリングパルスを設けたときの照射パワー情報と、マーク形成に対応するパルス光以外の照射光のパワー情報とが予め案内溝に記録されている前記＜９＞に記載の色素系追記型光記録媒体である。
＜１１＞  案内溝を有する基板上に有機色素を含む記録層を形成する形成手段と、前記記録層に最短長マークを１パルス光で記録する第１の記録手段と、２番目以降の長さのマークを前記最短長マークのパルスパワー以下で、かつパルス先端部と後端部の２カ所に一定時間高出力化された１パルス光で記録する第２の記録手段とを備え、前記各マーク記録時において、パルス後端部以降に設けたクーリングパルスの照射光量をＰｃとし、マーク形成に対応するパルス光以外の照射光のパワーをＷ４としたときの比Ｐｃ／Ｗ４が記録線速度を１２ｍ／ｓ以上のときに１．０以上３.０以下の範囲とする、又は、比Ｐｃ／Ｗ４が０．１４以下の範囲の場合に前記パルス印加後のクーリングパルスの照射時間Ｔｃを基本クロック周期Ｔの１倍以下の長さとすることを特徴とする色素系追記型光記録媒体の記録装置である。
【発明の効果】
【００１４】
本発明によると、従来における諸問題を解決することができ、色素系追記型ＤＶＤ媒体に対し、１２ｍ／ｓ以上の線速度で低ジッタ、低エラー率な記録が可能であり、ＤＶＤ−Ｒで用いているランドプリピットフォーマットよりも簡単に製造可能な高周波ウォブルフォーマットで、データ部の書き足しを効率良く実施することが可能となる。
【００１５】
更に、書き足しデータ部先頭の未記録領域を低減でき、低エラー率な色素系ＤＶＤ媒体の記録再生方法を提供できる。
【発明を実施するための最良の形態】
【００１６】
以下、図面を参照して、本発明の実施形態を詳細に説明する。
【００１７】
図１に本発明の記録方法等に使用される基本的なパルス照射パターンを示す。
【００１８】
最短マークのパルス長（Ｔ１）は、基本クロック周期Ｔの１／１６〜４８／１６倍の範囲が好ましく、特に２５／１６倍〜４８／１６倍の範囲が好ましい。パルス長（Ｔ１）が短いと記録感度が低下し易いためである。
【００１９】
また短い方から２番目以降の長さのマーク、即ち最短長マーク以外のマークにおいて、パルスの先端部に上乗せパワーを加えて高出力化する長さ（Ｔ２）は、基本クロック周期Ｔの１／１６倍〜３２／１６倍が好ましく、特に１６／１６倍〜３２／１６倍が好ましい。また、後端部に上乗せパワーを加えて高出力化する長さ（Ｔ３）は、基本クロック周期Ｔの０／１６倍〜３２／１６倍が好ましく、特に０／１６倍〜１６／１６倍が好ましい。
【００２０】
上乗せパワー（Ｗ１）は、上乗せパワーを加えない部分のパワー（Ｗ２）に対してＷ１／Ｗ２が、１．０倍より大きく、２．０倍以下の範囲が好ましい。この範囲からずれると、マークの長さが基本クロックからずれやすく、良好なジッタが得られにくいことがある。更に、上乗せパワーＷ１と、上乗せしていないときのパワーＷ２と、最短長マークのパルスパワー（Ｗ０）および最短長マーク以外のマークの後端部パワー（Ｗ３）の関係は、Ｗ０≧Ｗ１≧Ｗ３であり、且つ、Ｗ１≧Ｗ３の場合には、Ｗ３＞Ｗ２の関係があり、Ｗ１＞Ｗ３の場合には、Ｗ３≧Ｗ２の関係があることが好ましい。
【００２１】
本発明では、各パルス光の前に、マーク形成に対応するパルス光以外の光を照射している。図１の例では記録パルス間にＷ４の照射光レベル部でこれらの照射を行っている。また各マーク記録時において、パルス後端部以降にクーリングパルス領域を設けてその照射光量をＰｃとして、記録線速度を１２ｍ／ｓ以上のときにＰｃ／Ｗ４が１．０〜３.０の範囲では、良好なジッタを得やすい。Ｐｃは特にマーク間の熱干渉を低減するために０.１ｍＷ以下に設定されることが多いが、Ｐｃ≧Ｗ４の関係となるようにパワーを設定すると、３Ｔマークが開きやすくなり低パワー側で良好なジッタが得られやすくなる。特に記録線速度１２．６４ｍ／ｓ（５インチ／ｓ）以上のときにこの効果が得られやすい。またＰｃ／Ｗ４が３．０を超えてくると高Ｐｗ（パワー）側で３Ｔマークがつぶれやすくなるため、ジッタが悪化しやすい。
【００２２】
更に、Ｐｃが０ｍＷのときにクーリングパルス(Ｔｃ)を短くし、Ｗ４を０．７５〜２．２５ｍＷにすることで上記と同じような効果が得られやすく、３Ｔマークが開きやすくなり良好なジッタが得られやすい。
【００２３】
このときＴｃは基本クロック周期Ｔの４０／１６以下の長さが好ましく、記録線速度を１２ｍ／ｓ以上のときに良好なジッタが得られやすい。ＤＶＤ媒体の場合、単層型記録媒体と２層型記録媒体で線密度が異なる設定となっており、単層型では線密度は３．４９ｍ／ｓであり、２層型では線密度は３．８３ｍ／ｓである。特に２層型記録媒体の記録線密度、即ちＤＶＤ信号に対する記録線速度が３．８３±０．０３ｍ／ｓの場合に、より良好な効果が得られる。
【００２４】
従来、１マークを複数パルス光（マルチパルス）で書き込む記録方法も提案されていたが、複数のパルス光を用いるため、記録速度が速くなった場合に、パルス光の立ち上がり、立ち下がり時間にばらつきが発生し易く、更に高速応答が難しいため１２.６４ｍ／s以上の記録線速度に対して採用が困難である。
【００２５】
これに対し本発明の記録方法では、１マーク当り１パルス光で記録するため、マルチパルス光記録に比べて記録品質のばらつきが少ない記録方法を提供できる利点がある。
【００２６】
本発明に該当するパワー制御波形の例を図５に示す。
【００２７】
次に、記録層に必要な光学特性について説明する。
【００２８】
記録層に必要な光学特性としては、記録再生波長である長波長近傍の波長域の光、即ち記録光及び再生光の波長±５ｎｍの波長域の光に対する記録層単層の屈折率ｎが１．５≦ｎ≦３．０の範囲であり、消衰係数ｋが０．０２≦ｋ≦０．２の範囲にあることが好ましい。ｎが１．５未満の場合には、十分な光学的変化を得難く記録変調度が低くなるため好ましくなく、ｎが３．０を越えると、波長依存性が高くなり過ぎて記録再生波長領域であってもエラーとなってしまうため好ましくない。また、ｋが０．０２未満の場合には、記録感度が悪くなるため好ましくなく、ｋが０．２を越えると、５０％以上の反射率を得ることが困難となるので好ましくない。
【００２９】
なお、ＤＶＤは、再生専用機では６５０ｎｍ付近で規格化されているが、記録型媒体の記録光の波長はオーサリング専用媒体の６３５ｎｍの他に、一般用途として６５０〜６６０ｎｍで規格化されている。しかしながら、これらの波長は中心波長であり、照射光、再生光などの光に使用されるＬＤ（レーザダイオード）の製造のバラツキで短波長側に、あるいは長波長側にずれて生産される。またＬＤは、その特性上、一般的に温度が上昇すると波長が長波長側にシフトする。本発明は上記波長域を含む６００〜７２０ｎｍの範囲の記録波長で、好ましくは６３５〜６６５ｎｍの範囲の記録波長で実施可能な方法である。
【００３０】
次に、基板に設ける蛇行した案内溝のウォブル特性について述べる。このウォブル周波数を特定するためのＴは基本クロック周期であり、ＤＶＤ（たとえば４．７ＧＢ）媒体であれば、約０．１３３μｍ、時間にして約３８ｎｓｅｃ．である。
【００３１】
通常、ウォブルの周波数帯としては１５０Ｔ〜４００Ｔ相当が用いられている。この周波数帯は、周波数変調にしろ位相変調する場合でも、またデータの書き足しをする場合でもウォブルの周波数が低すぎて、前データと書き足しデータとの間がかなり空いてしまい、結局、高密度記録には向かない。これに対しＤＶＤ−ＲではＬＰＰを設け、このＬＰＰ信号によりデータの書き込む位置を制御している。
【００３２】
しかしながら、ＬＰＰ方式にするとＬＰＰの信号振幅が小さ過ぎる場合にはＬＰＰが良好に読み出せず、逆にＬＰＰが大き過ぎるとＬＰＰ信号自体が書き込みデータへ漏れ込んでデータエラーが多発するという不具合が生じる。このため、ＬＰＰには、０．１６≦ＬＰＰｂ≦０．３２、好ましくは０．１８≦ＬＰＰｂ≦０．２６という制約を課して、スタンパ作製の際にランドのカット幅を微細に制御しなくてはならない。
【００３３】
これに対し、高周波ウォブル方式にすればＬＰＰは必要なくなり、ウォブルを変調して同期をとるため、ＬＰＰ方式の様にデータエラーが多発するような事態には至らない。本発明では、ウォブル周波数は４Ｔ〜９６Ｔの範囲が好ましい。４Ｔより小さいと高周波数すぎて検出し難くなり、回転制御やアドレス検知信頼性の点でも問題がある。
【００３４】
一方、９６Ｔより大きくなると周波数が低すぎて、データを追記書きする際の継ぎ目に間隔が開きすぎ、容量の低下やデータ処理速度低下等の問題を生じる。
【００３５】
本発明が対象とするＤＶＤ媒体のウォブルの振幅は、適当なフィルター、例えば４ＭＨｚ、３０ｋＨｚのハイパスフィルターとロウパスフィルターを通した信号のウォブル振幅（Ｗｏ）と、適当なフィルター、例えば３０ｋＨｚのフィルターを通したプッシュプル信号（ＰＰ）の比Ｗｏ／ＰＰが、０．１≦Ｗｏ／ＰＰ≦０．４である範囲を満足すれば、本発明の目的であるウォブルでの同期合わせは容易となる。この比が、更に好ましくは０．１５≦Ｗｏ／ＰＰ≦０．３０の範囲である。Ｗｏ／ＰＰの値が０．１未満では同期をとるのに信号強度が十分でなく、また０．４を越えるとデータエラーが増えてくる傾向にある。但し、ＬＰＰ方式に比べ、ＬＰＰが大きな媒体のデータエラー発生への影響度は小さく、ウォブル振幅の増加に伴うデータエラーは緩やかである。
【００３６】
更にスタンパを作製する際、ＬＰＰ方式のＬＰＰカット幅を前述した０．１６〜０．３２の範囲内にするには、高度なカット幅制御技術を必要とする。これに対し、本発明の高周波ウォブル方式では、高周波発生源とウォブルの振り量の大きさ（ウォブル振り量を制御する回路で、振り量は任意に再現性よく作製できる）を管理しさえすれば目的が達成されるため、スタンパの歩留まりや、媒体の歩留まりを飛躍的に向上させることができる。
【００３７】
また、有機色素を用いて溶剤塗工法により記録層を形成する場合を例にとると、上記のフォーマットを有する基板の溝形状としては、好ましい溝深さは１００〜２５０ｎｍであり、更に好ましくは１５０〜２００ｎｍである。溝深さが１００ｎｍ未満ではプッシュプル信号が充分にとれずトラッキング制御ができない。また、２５０ｎｍを越えると基板成形の際に転写性が甘くなるため好ましくない。
【００３８】
更に、色素記録層を設けた場合の色素溝深さはウォブル周波数をｍＴ（ｍは自然数、Ｔは前記同様）とし、色素溝深さをｄ１とした時に１，２００≦ｄ１×ｍ≦１６０，０００の範囲にあることが好ましい。ｄ１×ｍが１，２００を下回ると充分な差信号が得られず、記録再生時に充分なトラッキングが行えず、また、ｄ１×ｍが１６０，０００を上回ると発振してしまうため、トラッキングには好ましくない。更に前述した基板成形の転写限界に起因する基板溝深さの限界もあって、実質的には１６０，０００を上回ることは出来ない。
【００３９】
また、記録密度４〜５ＧＢの容量を確保するためにトラックピッチは０．６４〜０．８μｍ程度必要である。溝幅に関して、記録材料によって異なるが、ほぼ全ての有機材料において、半値幅０．１８〜０．４０μｍの幅で適用できる。
【００４０】
次に、本発明の色素系追記型ＤＶＤ媒体の層構成と、各層の特性及び構成材料について説明する。
【００４１】
図２Ａ〜図２Ｄは、通常の追記型光ディスクの層構成例であり、図３Ａ〜図３Ｃは通常のＣＤ−Ｒ媒体の層構成例であり、図４Ａ〜図４Ｄは追記型ＤＶＤ媒体の層構成例である。特に図４Ｄは、片面２層型の記録媒体の層構成例である。本発明の色素系追記型ＤＶＤ媒体の好ましい基本構成は、図４Ｂ〜図４Ｄに示すように、第１基板と第２基板（保護基板）を、記録層を中にして接着剤で貼り合わせたものである。
【００４２】
記録層は有機色素層単層でもよく、反射率を高めるために有機色素層と反射層とを積層しても良い。記録層と基板の間には下引き層又は保護層を設けてもよく、機能向上のため各層を２層以上の積層構造とした構成としても良い。最も普通に用いられるのは、第１基板／記録層（有機色素層）／反射層／保護層／接着層／第２基板（保護基板）からなる構造である。
【００４３】
以下、媒体を構成する各層について、具体的に説明する。
【００４４】
（基板）
基板は、基板側から記録再生を行なう場合、使用レーザに対して透明でなければならないが、記録層側から記録再生を行なう場合には透明でなくともよい。基板材料としては、例えばポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、或いは、ガラス、セラミック、金属などを用いることができる。なお、基板の表面にはトラッキング用の案内溝や案内ピット、更にアドレス信号などのプリフォーマットが形成されていても良い。
【００４５】
（記録層）
記録層はレーザ光の照射により何らかの光学的変化を生じさせ、その変化前後の違いにより情報を記録するものであり、その材料としては有機色素を含む（たとえば主成分とする）ものを用いる。ここで、主成分とは、記録再生に必要十分な量の有機色素を含有することを意味するが、通常は、必要に応じて適宜添加する少量の添加剤を除き、有機色素のみを用いる。
【００４６】
有機色素の例としては、アゾ系、ホルマザン系、ジピロメテン系、（ポリ）メチン系、ナフタロシアニン系、フタロシアニン系、テトラアザポルフィリン系、スクアリリウム系、クロコニウム系、ピリリウム系、ナフトキノン系、アントラキノン系（インダンスレン系）、キサンテン系、トリフェニルメタン系、アズレン系、テトラヒドロコリン系、フェナンスレン系、トリフェノチアジン系色素、或いはそれらの金属錯体などが挙げられる。中でも好ましいのは、アゾ（金属キレート）色素、ホルマザン（金属キレート）色素、スクアリリウム（金属キレート）色素、ジピロメテン（金属キレート）色素、トリメチンシアニン色素、テトラアザポルフィリン色素である。
【００４７】
記録層に使用される色素は熱分解特性として、分解開始温度が１００〜３６０℃のものが好ましく、特に１００〜３５０℃のものが好ましい。分解開始温度が３６０℃を越えると記録時のピット形成がうまく行われずジッタ特性が悪くなる。また、１００℃未満であるとディスクの保存安定性が悪化する。
【００４８】
上記色素には光学特性、記録感度、信号特性などを向上する目的で、他の有機色素、金属、金属化合物を混合してもよく、或いは色素層と他の有機色素、金属、金属化合物からなる層を積層しても良い。
【００４９】
このような金属、金属化合物の例としては、Ｉｎ、Ｔｅ、Ｂｉ、Ｓｅ、Ｓｂ、Ｇｅ、Ｓｎ、Ａｌ、Ｂｅ、ＴｅＯ2、ＳｎＯ、Ａｓ、Ｃｄなどが挙げられ、これらを１種単独で、またはそれぞれを分散混合するか或いは積層して用いることができる。
【００５０】
更に、上記染料中に高分子材料、例えばアイオノマー樹脂、ポリアミド樹脂、ビニル系樹脂、天然高分子、シリコーン、液状ゴムなどの種々の材料、或いはシランカップリング剤などを分散混合しても良く、さらに特性改良の目的で安定剤（例えば遷移金属錯体）、分散剤、難燃剤、滑剤、帯電防止剤、界面活性剤、可塑剤などを一緒に用いることも出来る。
【００５１】
記録層の形成は、蒸着、スパッタリング、ＣＶＤ、溶剤塗布などの通常の手段によって行うことができる。塗布法を用いる場合には、上記染料などを有機溶剤に溶解し、スプレー、ローラーコーティグ、ディッピング、スピンコーティングなどの慣用のコーティング法によって行うことが出来る。用いられる有機溶媒としては一般にメタノール、エタノール、イソプロパノールなどのアルコール類；アセトン、メチルエチルケトン、シクロヘキサノンなどのケトン類；Ｎ，Ｎ−ジメチルホルムアミド、Ｎ，Ｎ−ジメチルアセトアミドなどのアミド類；ジメチルスルホキシドなどのスルホキシド類；テトラヒドロフラン、ジオキサン、ジエチルエーテル、エチレングリコールモノメチルエーテルなどのエーテル類；酢酸メチル、酢酸エチルなどのエステル類；クロロホルム、塩化メチレン、ジクロルエタン、四塩化炭素、トリクロルエタンなどの脂肪族ハロゲン化炭化水素類；ベンゼン、キシレン、モノクロルベンゼン、ジクロルベンゼンなどの芳香族類；メトキシエタノール、エトキシエタノールなどのセロソルブ類；ヘキサン、ペンタン、シクロヘキサン、メチルシクロヘキサンなどの炭化水素類などが挙げられる。
【００５２】
記録層の厚みは１０ｎｍ〜１０μｍ、好ましくは５０〜２００ｎｍが適当である。
【００５３】
（下引き層）
下引き層は、下記目的のために設けられる。
（１）接着性の向上、（２）水又はガスなどのバリアー、（３）記録層の保存安定性の向上、（４）反射率の向上、（５）溶剤からの基板の保護、（６）案内溝、案内ピット、プレフォーマットの形成など。
（１）の目的に対しては、アイオノマー樹脂、ポリアミド樹脂、ビニル樹脂、天然樹脂、天然高分子、シリコーン、液状ゴムなどの種々の高分子化合物、又はシランカップリング剤などを用いることができる。
（２）及び（３）の目的に対しては、上記高分子材料以外に、ＳｉＯ、ＭｇＦ、ＳｉＯ2、ＴｉＯ、ＺｎＯ、ＴｉＮ、ＳｉＮなどの無機化合物を用いることができ、更に、Ｚｎ、Ｃｕ、Ｎｉ、Ｃｒ、Ｇｅ、Ｓｅ、Ａｕ、Ａｇ、Ａｌなどの金属又は半金属を用いることができる。
（４）の目的に対しては、Ａｌ、Ａｕ、Ａｇ等の金属や、メチン染料、キサンテン系染料などからなる金属光沢を有する有機薄膜を用いることができる。
（５）及び（６）の目的に対しては、紫外線硬化樹脂、熱硬化樹脂、熱可塑性樹脂などを用いることができる。
【００５４】
下引き層の厚みとしては、０．０１〜３０μｍの範囲で、好ましくは、０．０５〜１０μｍの範囲が適当である。
【００５５】
（反射層）
反射層の材料としては、Ａｕ、Ａｇ、Ｃｒ、Ｎｉ、Ａｌ、Ｆｅ、Ｓｎなどの単体で高反射率が得られ、腐食され難い金属や半金属が挙げられるが、反射率や生産性の点からＡｕ、Ａｇ、Ａｌが特に好ましい。また、これらの金属や半金属は単独で使用してもよく、２種以上の合金として使用しても良い。
【００５６】
反射層を膜状に形成するため、膜形成法としては蒸着、スパッタリングなどが挙げられ、厚みとしては、５０〜５００ｎｍの範囲で、好ましくは、１００〜３００ｎｍの範囲である。
【００５７】
（保護層、基板面ハードコート層）
保護層及び基板面ハードコート層は、下記目的のために設けられる。
（１）記録層（反射吸収層）の傷、ホコリ、汚れ等からの保護、（２）記録層（反射吸収層）の保存安定性の向上、（３）反射率の向上等を目的として使用される。これらの目的に対しては、前記下引き層と同じ材料を用いることができる。また、ポリメチルアクリレート樹脂、ポリカーボネート樹脂、エポキシ樹脂、ポリスチレン樹脂、ポリエステル樹脂、セルロース樹脂、脂肪族炭化水素樹脂、天然ゴム、スチレンブタジエン樹脂、クロロプレンゴム、ワックス、アルキッド樹脂、乾性油、ロジン等の熱軟化性、熱溶融性樹脂などの有機材料を用いることもできる。最も好ましいのは生産性に優れた紫外線硬化樹脂である。
【００５８】
保護層又は基板面ハードコート層の厚みは、０．０１〜３０μｍの範囲で、好ましくは０．０５〜１０μｍの範囲である。
【００５９】
下引き層、保護層及び基板面ハードコート層には、記録層の場合と同様に安定剤、分散剤、難燃剤、滑剤、帯電防止剤、界面活性剤、可塑剤等を含有させることができる。
【００６０】
（保護基板）
保護基板は、保護基板側からレーザ光を照射する場合には、使用レーザ光に対して透明でなければならないが、単なる保護板として用いる場合には透明でなくてもよい。使用可能な保護基板材料は前記基板材料と全く同じであり、ポリエステル樹脂、アクリル樹脂、ポリアミド樹脂、ポリカーボネート樹脂、ポリオレフィン樹脂、フェノール樹脂、エポキシ樹脂、ポリイミド樹脂などのプラスチック、又はガラス、セラミック、金属などから選択される１種または２種以上を用いることができる。
【００６１】
（接着層）
接着層の材料としては、２枚の記録媒体を接着できる材料なら何でもよく、生産性を考慮すると、紫外線硬化型接着剤又はホットメルト型接着剤が好ましい。
【００６２】
次に本発明の記録再生装置について説明する。
【００６３】
大容量の情報を記録する装置として光ディスクが使用されているが、光ディスクは通常光ディスクドライブ（記録再生装置）によって記録再生される。ここで、光ディスクと光ディスクドライブの構成について概略を説明する。
【００６４】
ＤＶＤ−ＲＡＭ・ＷＯ、ＤＶＤ−Ｒ、ＤＶＤ＋Ｒ、及びＤＶＤ−ＲＡＭ、ＤＶＤ−ＲＷ、ＤＶＤ＋ＲＷディスクは、書き込みが可能な（記録可能な）ＤＶＤ（Ｄｉｇｉｔａｌ  Ｖｅｒｓａｔｉｌｅ  Ｄｉｓｃ）である。ＤＶＤ−ＲＡＭ・ＷＯ、ＤＶＤ−Ｒ、ＤＶＤ＋Ｒは、１回だけ書き込みが可能なＤＶＤである（ＤＶＤ  Ｗｒｉｔｅ  Ｏｎｃｅとも言われている）。また、ＤＶＤ−ＲＡＭ、ＤＶＤ−ＲＷ、ＤＶＤ＋ＲＷは、複数回の書き込みが可能なＤＶＤである。これらのＤＶＤ＋ＲやＤＶＤ＋ＲＷディスク等の光ディスクは、次の図６のようなドライブによって情報の記録再生が行われる。
【００６５】
図６は、光ディスクドライブについて、その要部構成の一例を示す機能ブロック図である。図中、１１は光ディスクであり、１２はスピンドルモータであり、１３は光ピックアップであり、１４はモータドライバであり、１５はリードアンプであり、１６はサーボ手段であり、１７はＤＶＤデコーダであり、１８はＡＤＩＰデコーダであり、１９はレーザコントローラであり、２０はＤＶＤエンコーダであり、２１はＤＶＤ−ＲＯＭエンコーダであり、２２はバッファＲＡＭであり、２３はバッファマネージャであり、２４はＤＶＤ−ＲＯＭデコーダであり、２５はＡＴＡＰＩ／ＳＣＳＩインターフェースであり、２６はＤ／Ａコンバータであり、２７はＲＯＭであり、２８はＣＰＵであり、２９はＲＡＭを示し、ＬＢはレーザ光を示し、Ａｕｄｉｏはオーディオ出力信号を示す。
【００６６】
図６において、矢印はデータが主に流れる方向を示し、また、図を簡略化するために、図６の各ブロックを制御するＣＰＵ２８には、太線のみを付けて各ブロックとの接続を省略している。ＲＯＭ２７には、ＣＰＵ２８で解読可能なコードで記述された制御プログラムが格納されている。なお、光ディスクドライブの電源がオン状態になると、前記プログラムはメインメモリ（図示せず）にロードされ、前記ＣＰＵ２８はそのプログラムに従って上記各部の動作を制御すると共に、制御に必要なデータ等を一時的にＲＡＭ２９に保存する。
【００６７】
このような光ディスクドライブの構成と動作は、次の通りである。光ディスク１１は、スピンドルモータ１２によって回転駆動される。このスピンドルモータ１２は、モータドライバ１４とサーボ手段１６により、線速度又は角速度が一定になるように制御される。この線速度又は角速度は、階段的に変更することが可能である。
【００６８】
光ピックアップ１３は、図示されない半導体レーザと、光学系と、フォーカスアクチュエータと、トラックアクチュエータと、受光素子及びポジションセンサを内蔵しており、レーザ光ＬＢを光ディスク１１に照射する。また、この光ピックアップ１３は、シークモータによってスレッジ方向への移動が可能である。これらのフォーカスアクチュエータと、トラックアクチュエータと、シークモータは、受光素子とポジションセンサから得られる信号に基づいて、モータドライバ１４とサーボ手段１６により、レーザ光ＬＢのスポットが光ディスク１１上の目的の場所に位置するように制御される。
【００６９】
そして、リード時（データ読取時）には、光ピックアップ１３によって得られた再生信号が、リードアンプ１５で増幅されて２値化された後、ＤＶＤデコーダ１７に入力される。入力された２値化データは、このＤＶＤデコーダ１７において、８／１６復調される。なお、記録データは、８ビットずつ纏められて変調（８／１６変調）されており、この変調では、８ビットを１６ビットに変換している。この場合に、結合ビットは、それまでの「１」と「０」の数が平均的に等しくなるように付けられる。これを「ＤＣ成分の抑制」といい、ＤＣカットされた再生信号のスライスレベル変動が抑圧される。
【００７０】
復調されたデータは、デインターリーブとエラー訂正の処理が行われる。その後、このデータは、ＤＶＤ−ＲＯＭデコーダ２４へ入力され、データの信頼性を高めるために更にエラー訂正の処理が行われる。このように２回のエラー訂正の処理が行われたデータは、バッファマネージャ２３によって一旦バッファＲＡＭ２２に蓄えられ、セクタデータとして揃った状態で、ＡＴＡＰＩ／ＳＣＳＩインターフェース２５を介して、図示しないホストコンピュータへ一気に転送される。なお、音楽データの場合には、ＤＶＤデコーダ１７から出力されたデータが、Ｄ／Ａコンバータ２６へ入力され、アナログのオーディオ出力信号Ａｕｄｉｏとして取り出される。
【００７１】
また、ライト時には、ＡＴＡＰＩ／ＳＣＳＩインターフェース２５を通して、ホストコンピュータから送られてきたデータは、バッファマネージャ２３によって一旦バッファＲＡＭ２２に蓄えられる。その後、ライト動作が開始されるが、この場合には、その前にレーザスポットを書き込み開始地点に位置させる必要がある。この地点は、ＤＶＤ＋ＲＷ／＋Ｒでは、予め光ディスク１１上にトラックの蛇行により刻まれているウォブル信号によって求められる。
【００７２】
なお、上記地点はＤＶＤ−ＲＷ／−Ｒではウォブル信号の代わりにランドプリピット、ＤＶＤ−ＲＡＭ／ＲＡＭ・ＷＯではプリピットによって求められる。
【００７３】
ＤＶＤ＋ＲＷ／＋Ｒディスクにおけるウォブル信号には、ＡＤＩＰ（ＡＤｒｅｓｓ  Ｉｎ  Ｐｒｅ−ｇｒｏｏｖｅ）と呼ばれるアドレス情報が含まれており、この情報が、ＡＤＩＰデコーダ１８によって取り出される。また、このＡＤＩＰデコーダ１８によって生成される同期信号は、ＤＶＤエンコーダ２０へ入力され、光ディスク１１上の正確な位置へのデータの書き込みを可能にしている。バッファＲＡＭ２２のデータは、ＤＶＤ−ＲＯＭエンコーダ２１やＤＶＤエンコーダ２０において、エラー訂正コードの付加や、インターリーブが行われ、レーザコントローラ１９、光ピックアップ１３を介して、本発明の記録波形により光ディスク１１に記録される。
【００７４】
本発明の記録再生装置は、案内溝を有する基板上に形成された有機色素を主成分とする記録層に対し、最短長マークを最も高出力化された１つのパルス光で記録し、２番目以降の長さのマークを、最短長マークのパルスパワー以下で、かつパルス先端部と後端部の２カ所が一定時間高出力化された１つのパルス光で記録し、前記各マーク記録時において、パルス後端部以降にクーリングパルスを設けてその照射光量をPcとし、マーク形成に対応するパルス光以外の照射光のパワーをＷ４としたときに、Ｐｃ／Ｗ４が記録線速度を１２ｍ／ｓ以上のときに１．０〜３.０とする機能を有するので高線速における高品質記録が実現可能である。
【００７５】
また、本発明の記録再生装置においては、最適な最短長マークのパルスパワー情報と、マーク形成に対応するパルス光以外の照射光のパワー情報が、予め案内溝に記録されている色素系追記型ＤＶＤ媒体を用いることにより、ディスクに最適な記録条件を設定することができる。即ち、記録再生装置で案内溝に記録された上記パルスパワー情報を読み出して記録条件を設定することにより、記録エラーのない最適記録が可能になる。
【００７６】
ＤＶＤ+Ｒの場合の具体例としては、案内溝にウォブル信号として記録されたＡＤＩＰ情報をエンコードし、上記パルスパワーが設定できる。
【００７７】
図７は、図６に示す光ディスクドライブを使用した情報処理装置の概略図である。
【００７８】
情報処理装置１００は、主制御装置１０１、インターフェース１０２、記録装置１０３、入力装置１０４及び表示装置１０５、光ディスク装置１０６を備えている。
【００７９】
主制御装置１０１は、ＣＰＵ（中央処理装置、マイクロコンピュータ）、メインメモリ（何れも図示せず）などを含んで構成され、ホストコンピュータの全体を制御する。
【００８０】
光ディスク装置１０６とは双方向の通信インターフェースであり、このインターフェース１０２はＡＴＡＰＩ及びＳＣＳＩ等の標準インターフェースに準拠している。インターフェース１０２は前述した光ディスク装置１０６の通信インターフェースと接続されている。なお、各インターフェース間の接続形態は、通信ケーブル（例えばＳＣＳＩケーブル）などの通信線を用いたケーブル接続だけでなく、赤外線その他の電磁波などを利用したワイヤレス接続であっても良い。
【００８１】
記録装置（ＨＤＤ、ハードディスク）１０３には、主制御装置１０１のマイクロコンピュータで解読可能なコードで記述されたプログラムが格納されている。なお、情報処理装置１００の駆動電源がオン状態になると、上記プログラムは主制御装置１０１のメインメモリにロードされる。
【００８２】
表示装置１０５は、例えばＣＲＴ、液晶ディスプレイ（ＬＣＤ）、プラズマディスプレイパネル（ＰＤＰ）などの表示部（図示せず）を備え、主制御装置１０１からの各種情報を表示する。
【００８３】
入力装置１０４は、例えばキーボード、マウス、ポインティングデバイスなどのうち少なくとも１つの入力媒体（図示せず）を備え、ユーザから入力された各種情報を主制御装置１０１に通知する。なお、入力媒体からの情報はワイヤレス方式で入力されても良い。また、表示装置１０５と入力装置１０４とが一体化したものとして、例えばタッチパネル付きＣＲＴなどがある。また、情報処理装置１００はオペレーティングシステム（ＯＳ）を搭載している。そして、情報処理装置１００を構成する全てのデバイスはＯＳによって管理されているものとする。
【実施例】
【００８４】
溝深さ３２ｎｍ、溝幅（底幅）０．２５μｍ、トラックピッチ０．７４μｍ、ウォブル周波数３２Ｔ相当の案内溝凸凹パターンを有する、直径１２０ｍｍ、厚さ０．５７ｍｍのポリカーボネート製の第２基板の表面上に、Ａｒをスパッタガスとして、スパッタ法により厚さ約１５０ｎｍのＡｇＩｎ（約９９．５／０．５）からなる第２反射層を形成した。
【００８５】
次に、該反射層の表面に、下記化学式（１）で示されるスクアリリウム色素化合物を２，２，３，３−テトラフルオロプロパノールに溶解した塗布液をスピンコートにより塗布して乾燥し、厚さ約８０ｎｍの第２記録層を設けた。この第２記録層の光吸収スペクトルは、最大吸収波長が６０７ｎｍ、最大吸収波長での吸光度（Ａｂｓ）が１．１９であった。色素膜厚は断面ＴＥＭ像で確認した。この色素の熱分解温度は２８０℃であった。
【００８６】
【化１】
2007109368.tif 000003
【００８７】
更にその上に、Ａｒをスパッタガスとしてスパッタ法によりＺｎＳ−ＳｉＣ（８／２比率）を約１５０ｎｍの厚さに設けて無機保護層を形成し第２の情報基板を作製した。
【００８８】
一方、溝深さ１５０ｎｍ、溝幅（底幅）０．２５μｍ、トラックピッチ０．７４μｍの案内溝凸凹パターンを有する直径１２０ｍｍ、厚さ０．５８ｍｍのポリカーボネート製の第１基板の表面上に、上記化学式（１）で示されるスクアリリウム色素化合物と下記化学式（２）で示されるホルマザン金属キレートを７／３の重量比で混合し、２，２，３，３−テトラフルオルプロパノールに溶解した塗布液をスピンコートすることにより、厚さ約５０ｎｍの第１記録層を設け、その上にＡｒをスパッタガスとして、スパッタ法により厚さ約１２ｎｍのＡｇＩｎ（約９９．５／０．５）反射層を形成して第１の情報基板を作製した。
【００８９】
【化２】
2007109368.tif 000004
【００９０】
次いで、上記第１と第２の情報基板を、紫外線硬化型接着剤（日本化薬製ＫＡＲＡＹＡＤ  ＤＶＤ５７６）で貼り合わせ、図４Ｄに示す片面２層構成の光記録媒体を作製した。上記光記録媒体の第２記録層に対し、波長６５７ｎｍ、ＮＡ：０．６５、線速度１２．６４ｍ／ｓの条件でＤＶＤ（８−１６）信号を記録した後、線速度３．８３ｍ／ｓで再生評価を行った。評価装置はパルステック社製のＯＤＵ１０００を使用した。
【００９１】
記録パルスの波形は図５に示すものを用い、以下の実施例でのジッタ値の記録パワー（Ｗ０）依存性を測定した。
【００９２】
【表１】
2007109368.tif 000005
【００９３】
図８に、実施例１〜７と比較例１、２のＷ１＝２５ｍＷのときのジッタ値を表しているが、Ｐｃ／Ｗ４が１．０〜３．０のときにジッタ値が良好な特性が得られた。同様に図９に、実施例１、４、７と比較例２の特性結果を示しているが、Ｐｃ／Ｗ４が１．０〜３．０のときにジッタ値が良好な特性が得られた。また、図１０〜１２に、実施例８〜１５と比較例３の特性結果を示しているが、Ｐｃ／Ｗ４が０．１４以下のときには、Ｔｃを１Ｔ以下にすることでジッタ値が良好な特性が得られた。
【図面の簡単な説明】
【００９４】
【図１】図１は、本発明の基本的なパルス照射パターンを示す説明図である。
【図２Ａ】図２Ａは、通常の追記型光ディスクの層構成例を示す断面図である。
【図２Ｂ】図２Ｂは、通常の追記型光ディスクの層構成の他の例を示す断面図である。
【図２Ｃ】図２Ｃは、通常の追記型光ディスクの層構成の他の例を示す断面図である。
【図２Ｄ】図２Ｄは、通常の追記型光ディスクの層構成の他の例を示す断面図である。
【図３Ａ】図３Ａは、通常のＣＤ−Ｒ媒体の層構成例を示す断面図である。
【図３Ｂ】図３Ｂは、通常のＣＤ−Ｒ媒体の層構成の他の例を示す断面図である。
【図３Ｃ】図３Ｃは、通常のＣＤ−Ｒ媒体の層構成の他の例を示す断面図である。
【図４Ａ】図４Ａは、本発明の追記型ＤＶＤ媒体の層構成例を示す断面図である。
【図４Ｂ】図４Ｂは、本発明の追記型ＤＶＤ媒体の層構成の他の例を示す断面図である。
【図４Ｃ】図４Ｃは、本発明の追記型ＤＶＤ媒体の層構成の他の例を示す断面図である。
【図４Ｄ】図４Ｄは、本発明の追記型ＤＶＤ媒体の層構成の他の例を示す断面図である。
【図５】図５は、本発明の実施例に使用したパルス照射パターンの説明図である。
【図６】図６は、本発明の光ディスクドライブの構成例を示す機能ブロック図である。
【図７】図７は、本発明の光ディスクドライブを使用した情報処理装置の概略ブロック図である。
【図８】図８は、本発明のＰｃ／Ｗ４に対するジッタ値の変化の１例を示す説明図である。
【図９】図９は、本発明のＰｃ／Ｗ４に対するジッタ値変化の他の例の説明図である。
【図１０】図１０は、本発明のＰｃ／Ｗ４に対するジッタ値変化の他の例の説明図である。
【図１１】図１１は、本発明のＰｃ／Ｗ４に対するジッタ値変化の他の例の説明図である。
【図１２】図１２は、本発明のＰｃ／Ｗ４に対するジッタ値変化の他の例の説明図である。
【図１３】図１３は、本発明のクリーニングパルスの照射時間Ｔｃが基本クロック周期Ｔの１倍以下であることを示すパルス照射パターンの説明図である。
【符号の説明】
【００９５】
１      基板
２      記録層
３      下引き層
４      保護層
５      ハードコート層
６      反射層
７      保護基板
８      接着層
１１      光ディスク
１２      スピンドルモータ
１３      光ピックアップ
１４      モータドライバ
１５      リードアンプ
１６      サーボ手段
１７      ＤＶＤデコーダ
１８      ＡＤＩＰデコーダ
１９      レーザコントローラ
２０      ＤＶＤエンコーダ
２１      ＤＶＤ−ＲＯＭエンコーダ
２２      バッファＲＡＭ
２３      バッファマネージャ
２４      ＤＶＤ−ＲＯＭデコーダ
２５      ＡＴＡＰＩ／ＳＣＳＩインターフェース
２６      Ｄ／Ａコンバータ
２７      ＲＯＭ
２８      ＣＰＵ
【図１】
2007109368.tif 000006
【図２Ａ】
2007109368.tif 000007
【図２Ｂ】
2007109368.tif 000008
【図２Ｃ】
2007109368.tif 000009
【図２Ｄ】
2007109368.tif 000010
【図３Ａ】
2007109368.tif 000011
【図３Ｂ】
2007109368.tif 000012
【図３Ｃ】
2007109368.tif 000013
【図４Ａ】
2007109368.tif 000014
【図４Ｂ】
2007109368.tif 000015
【図４Ｃ】
2007109368.tif 000016
【図４Ｄ】
2007109368.tif 000017
【図５】
2007109368.tif 000018
【図６】
2007109368.tif 000019
【図７】
2007109368.tif 000020
【図８】
2007109368.tif 000021
【図９】
2007109368.tif 000022
【図１０】
2007109368.tif 000023
【図１１】
2007109368.tif 000024
【図１２】
2007109368.tif 000025
【図１３】
2007109368.tif 000026